(57)【特許請求の範囲】
【請求項１】
ＷＡＭ（Ｗｉｄｅ  Ａｒｅａ  Ｍｕｌｔｉｌａｔｅｒａｔｉｏｎ）システムに用いられる処理装置であって、
航空機から自発的に送信されかつ当該航空機を特定するためのモードＳアドレスを含む捕捉スキッタ信号及び拡張スキッタ信号から前記モードＳアドレスを抽出して蓄積する手段と、
前記ＷＡＭシステムの覆域に重複する覆域を持つレーダサイトを特定する識別情報を予め登録管理する手段と、
前記レーダサイトから覆域内の全ての航空機に対して送信されるモードＳ一括質問信号に対する各航空機からのモードＳ一括応答信号を前記識別情報を用いて解読することにより、前記モードＳ一括応答信号からモードＳアドレスを抽出して蓄積する手段と、
を備える処理装置。
【請求項２】
前記処理装置は、前記モードＳ一括応答信号から抽出された前記モードＳアドレスを蓄積する第１のテーブルと、前記捕捉スキッタ信号及び拡張スキッタ信号から抽出された前記モードＳアドレスを蓄積する第２のテーブルと、前記第１及び第２のテーブル各々に同一のモードＳアドレスが存在しないように常時監視する手段とをさらに備える請求項１記載の処理装置。
【請求項３】
前記処理装置は、前記第１のテーブルに蓄積されたモードＳアドレスを、前記ＷＡＭシステムの覆域内を各航空機が通過する時間を最大として順次削除し、
前記処理装置は、前記第２のテーブルに蓄積されたモードＳアドレスを、前記捕捉スキッタ信号の送信レート＋所定値後に順次削除する、
請求項２記載の処理装置。
【請求項４】
前記識別情報が、ＳＳＲ（Ｓｅｃｏｎｄａｒｙ  Ｓｕｒｖｅｉｌｌａｎｃｅ  Ｒａｄａｒ）のレーダサイトのインタロゲータ識別子［ＩＩ（Ｉｎｔｅｒｒｏｇａｔｏｒ  Ｉｄｅｎｔｉｆｉｅｒ）／ＳＩ（Ｓｕｒｖｅｉｌｌａｎｃｅ  Ｉｄｅｎｔｉｆｉｅｒ）］である請求項１から請求項３のいずれか１項に記載の処理装置。
【請求項５】
請求項１から請求項４のいずれか１項に記載の処理装置を備えるＷＡＭ（Ｗｉｄｅ  Ａｒｅａ  Ｍｕｌｔｉｌａｔｅｒａｔｉｏｎ）システム。
【請求項６】
ＷＡＭ（Ｗｉｄｅ  Ａｒｅａ  Ｍｕｌｔｉｌａｔｅｒａｔｉｏｎ）システムに用いられる処理装置におけるモードＳアドレスの蓄積方法であって、
前記処理装置が、航空機から自発的に送信されかつ当該航空機を特定するためのモードＳアドレスを含む捕捉スキッタ信号及び拡張スキッタ信号から前記モードＳアドレスを抽出して蓄積すること、
前記処理装置が、前記ＷＡＭシステムの覆域に重複する覆域を持つレーダサイトを特定する識別情報を予め登録管理すること、及び
前記処理装置が、前記レーダサイトから覆域内の全ての航空機に対して送信されるモードＳ一括質問信号に対する各航空機からのモードＳ一括応答信号を前記識別情報を用いて解読することにより、前記モードＳ一括応答信号からモードＳアドレスを抽出して蓄積すること、
を備えるモードＳアドレスの蓄積方法。
【請求項７】
前記処理装置が、前記モードＳ一括応答信号から抽出された前記モードＳアドレスを蓄積する第１のテーブルと、前記捕捉スキッタ信号及び拡張スキッタ信号から抽出された前記モードＳアドレスを蓄積する第２のテーブルとを管理すること、及び
前記処理装置が、前記第１及び第２のテーブル各々に同一のモードＳアドレスが存在しないように常時監視すること、
をさらに含む請求項６記載のモードＳアドレスの蓄積方法。
【請求項８】
前記管理することは、
前記第１のテーブルに蓄積されたモードＳアドレスを、前記ＷＡＭシステムの覆域内を前記航空機が通過する時間を最大として順次削除すること、及び
前記第２のテーブルに蓄積されたモードＳアドレスを、前記捕捉スキッタ信号の送信レート＋所定値後に順次削除すること、
を含む請求項７記載のモードＳアドレスの蓄積方法。
【請求項９】
前記識別情報が、ＳＳＲ（Ｓｅｃｏｎｄａｒｙ  Ｓｕｒｖｅｉｌｌａｎｃｅ  Ｒａｄａｒ）のレーダサイトのインタロゲータ識別子［ＩＩ（Ｉｎｔｅｒｒｏｇａｔｏｒ  Ｉｄｅｎｔｉｆｉｅｒ）／ＳＩ（Ｓｕｒｖｅｉｌｌａｎｃｅ  Ｉｄｅｎｔｉｆｉｅｒ）］である請求項６から請求項８のいずれか１項に記載のモードＳアドレスの蓄積方法。
【請求項１０】
ＷＡＭ（Ｗｉｄｅ  Ａｒｅａ  Ｍｕｌｔｉｌａｔｅｒａｔｉｏｎ）システムに用いられる処理装置におけるモードＳアドレスの蓄積方法をコンピュータに行わせるためのプログラムであって、
前記蓄積方法は、
航空機から自発的に送信されかつ当該航空機を特定するためのモードＳアドレスを含む捕捉スキッタ信号及び拡張スキッタ信号から前記モードＳアドレスを抽出して蓄積すること、
前記ＷＡＭシステムの覆域に重複する覆域を持つレーダサイトを特定する識別情報を予め登録管理すること、及び
前記レーダサイトから覆域内の全ての航空機に対して送信されるモードＳ一括質問信号に対する各航空機からのモードＳ一括応答信号を前記識別情報を用いて解読することにより、前記モードＳ一括応答信号からモードＳアドレスを抽出して蓄積すること、
を備える、プログラム。
【発明の詳細な説明】
【技術分野】
【０００１】
本発明は処理装置、ＷＡＭシステム及びそれに用いるモードＳアドレスの蓄積方法並びにそのプログラムに関し、特にＷＡＭ（Ｗｉｄｅ  Ａｒｅａ  Ｍｕｌｔｉｌａｔｅｒａｔｉｏｎ）システムにおけるモードＳアドレスの蓄積方式の拡張に関する。
【背景技術】
【０００２】
上記のＷＡＭシステムは、航空機から送信される信号（応答信号）を受信解読する複数（４台以上）の受信局と、受信局から送信された解読信号により航空機の位置を算出する処理装置とから構成されている。
【０００３】
このＷＡＭシステムでは、特定の航空機を継続追尾する目的から個別識別応答（以降、Ｒｏｌｌ  Ｃａｌｌ応答とする）の受信時に、その信号が追尾対象の航空機からの信号であるかどうかを確認する信頼度チェックを行っている。そのため、信頼度チェックを行うには、航空機のモードＳアドレス（ＷＡＭシステムにおいて航空機を特定する情報）が必要となり、システム覆域内にいる航空機のモードＳアドレスを蓄積する必要がある。
【０００４】
ここで、Ｒｏｌｌ  Ｃａｌｌ応答とは、ＳＳＲ（Ｓｅｃｏｎｄａｒｙ  Ｓｕｒｖｅｉｌｌａｎｃｅ  Ｒａｄａｒ）のレーダサイトが、航空機を初期捕捉した後に、ここの航空機に対して送信する個別質問に対する応答信号である。
【０００５】
本発明に関連するＷＡＭシステムにおけるモードＳアドレスの抽出及び蓄積は、航空機から送出される捕捉スキッタ信号及び拡張スキッタ信号を対象としている。捕捉スキッタ信号は、航空機が自発的に送信する信号であり、モードＳアドレス等を含んでいる。拡張スキッタ信号は、航空機が自発的に送信する信号であり、モードＳアドレス及び航空機位置等を含んでいる。
【０００６】
ＳＳＲのレーダサイトでは、航空機の初期捕捉を行うために、覆域内の全ての航空機に対してモードＳ一括質問の信号を送信しており、航空機からはこの信号に対する応答としてモードＳ一括応答（以降、Ａｌｌ  Ｃａｌｌ応答とする）が送信される。
【０００７】
このＡｌｌ  Ｃａｌｌ応答からのモードＳアドレスの抽出及び蓄積としては、ＳＳＲのレーダサイトに割り振られているインタロゲータ識別子［ＩＩ（Ｉｎｔｅｒｒｏｇａｔｏｒ  Ｉｄｅｎｔｉｆｉｅｒ）／ＳＩ（Ｓｕｒｖｅｉｌｌａｎｃｅ  Ｉｄｅｎｔｉｆｉｅｒ）］が必要になるため、Ａｌｌ  Ｃａｌｌ応答を破棄している。尚、ＳＳＲについては、下記の特許文献１〜３に記載の技術がある。
【先行技術文献】
【特許文献】
【０００８】
【特許文献１】特開２００８−１４６４５０号公報
【特許文献２】特開２００８−１７５７８４号公報
【特許文献３】特開２０１０−２８６３５２号公報
【発明の概要】
【発明が解決しようとする課題】
【０００９】
上述した本発明に関連するＷＡＭシステムでは、特定の航空機を継続追尾する目的からＲｏｌｌ  Ｃａｌｌ応答の受信時に信頼度チェックを行っている。信頼度チェックを行うには、航空機のモードＳアドレスが必要となり、システム覆域内にいる航空機のモードＳアドレスを蓄積する必要がある。
【００１０】
しかしながら、モードＳアドレスの蓄積は、航空機から送出される捕捉スキッタ信号及び拡張スキッタ信号のみを対象に行っており、Ａｌｌ  Ｃａｌｌ応答からモードＳアドレスを抽出するには、各レーダサイトに割当てられているインタロゲータ識別子（ＩＩ／ＳＩ）が必要となるため、インタロゲータ識別子（ＩＩ／ＳＩ）を持たないＷＡＭシステムでは、Ａｌｌ  Ｃａｌｌ応答からモードＳアドレスを抽出することも、蓄積することもできない。上記の特許部健１〜３は、自サイトＩＤ［インタロゲータ識別子（ＩＩ／ＳＩ）］を持つＳＳＲのシステムに関する発明であり、この問題を解決することはできない。
【００１１】
そこで、本発明の目的は上記の問題点を解消し、Ａｌｌ  Ｃａｌｌ応答からモードＳアドレスを抽出して蓄積することができ、継続追尾する航空機の検出数を向上させることができる処理装置、ＷＡＭシステム及びそれに用いるモードＳアドレスの蓄積方法並びにそのプログラムを提供することにある。
【課題を解決するための手段】
【００１２】
本発明による処理装置は、航空機から送信される応答信号を受信解読する複数の受信局と、前記受信局各々から送信された解読信号により前記航空機の位置を算出する処理装置とを含み、前記処理装置が前記航空機から自発的に送信されかつ前記航空機を特定するためのモードＳアドレスを含む捕捉スキッタ信号及び拡張スキッタ信号から前記モードＳアドレスを抽出して蓄積するＷＡＭ（Ｗｉｄｅ  Ａｒｅａ  Ｍｕｌｔｉｌａｔｅｒａｔｉｏｎ）システムに用いる処理装置であって、
前記ＷＡＭシステムの覆域に重複する覆域を持つレーダサイトを特定する識別情報を予め登録管理する手段と、前記レーダサイトから覆域内の全ての航空機に対して送信されるモードＳ一括質問信号に対する当該航空機からのモードＳ一括応答信号を前記識別情報を用いて解読して前記モードＳアドレスを抽出蓄積する手段とを備えている。
【００１３】
本発明によるＷＡＭシステムは、上記の処理装置を含むことを特徴とする。
【００１４】
本発明によるモードＳアドレスの蓄積方法は、航空機から送信される応答信号を受信解読する複数の受信局と、前記受信局各々から送信された解読信号により前記航空機の位置を算出する処理装置とを含み、前記処理装置が前記航空機から自発的に送信されかつ前記航空機を特定するためのモードＳアドレスを含む捕捉スキッタ信号及び拡張スキッタ信号から前記モードＳアドレスを抽出して蓄積するＷＡＭ（Ｗｉｄｅ  Ａｒｅａ  Ｍｕｌｔｉｌａｔｅｒａｔｉｏｎ）システムに用いるモードＳアドレスの蓄積方法であって、
前記処理装置が、前記ＷＡＭシステムの覆域に重複する覆域を持つレーダサイトを特定する識別情報を予め登録管理する処理と、前記レーダサイトから覆域内の全ての航空機に対して送信されるモードＳ一括質問信号に対する当該航空機からのモードＳ一括応答信号を前記識別情報を用いて解読して前記モードＳアドレスを抽出蓄積する処理とを実行している。
【００１５】
本発明によるプログラムは、航空機から送信される応答信号を受信解読する複数の受信局と、前記受信局各々から送信された解読信号により前記航空機の位置を算出する処理装置とを含み、前記処理装置が前記航空機から自発的に送信されかつ前記航空機を特定するためのモードＳアドレスを含む捕捉スキッタ信号及び拡張スキッタ信号から前記モードＳアドレスを抽出して蓄積するＷＡＭ（Ｗｉｄｅ  Ａｒｅａ  Ｍｕｌｔｉｌａｔｅｒａｔｉｏｎ）システムに用いる処理装置に実行させるプログラムであって、
前記ＷＡＭシステムの覆域に重複する覆域を持つレーダサイトを特定する識別情報を予め登録管理する処理と、前記レーダサイトから覆域内の全ての航空機に対して送信されるモードＳ一括質問信号に対する当該航空機からのモードＳ一括応答信号を前記識別情報を用いて解読して前記モードＳアドレスを抽出蓄積する処理とを含むことを特徴とする。
【発明の効果】
【００１６】
本発明は、上記のような構成及び動作とすることで、Ａｌｌ  Ｃａｌｌ応答からモードＳアドレスを抽出して蓄積することができ、継続追尾する航空機の検出数を向上させることができるという効果が得られる。
【図面の簡単な説明】
【００１７】
【図１】本発明の実施の形態による処理装置の構成を示すブロック図である。
【図２】図１に示す処理装置の処理動作を示すフローチャートである。
【発明を実施するための形態】
【００１８】
次に、本発明の実施の形態について図面を参照して説明する。まず、本発明によるＷＡＭ（Ｗｉｄｅ  Ａｒｅａ  Ｍｕｌｔｉｌａｔｅｒａｔｉｏｎ）システムの概要について説明する。
【００１９】
本発明は、ＷＡＭシステムにおいて、モードＳ一括応答（以降、Ａｌｌ  Ｃａｌｌ応答とする）、捕捉スキッタ信号及び拡張スキッタ信号に含まれるモードＳアドレス（ＷＡＭシステムにおいて航空機を特定する情報）を蓄積する方式を提供するものである。
【００２０】
ここで、捕捉スキッタ信号は、航空機が自発的に送信する信号であり、モードＳアドレス等を含んでいる。拡張スキッタ信号は、航空機が自発的に送信する信号であり、モードＳアドレス及び航空機位置等を含んでいる。
【００２１】
ＳＳＲ（Ｓｅｃｏｎｄａｒｙ  Ｓｕｒｖｅｉｌｌａｎｃｅ  Ｒａｄａｒ）のレーダサイトでは、航空機の初期捕捉を行うために、覆域内の全ての航空機に対してモードＳ一括質問の信号を送信しており、航空機からはこの信号に対する応答としてモードＳ一括応答（以降、Ａｌｌ  Ｃａｌｌ応答とする）が送信される。
【００２２】
本発明は、ＷＡＭシステムの覆域に重複する覆域を持つレーダサイト（ＳＳＲのレーダサイト）のインタロゲータ識別子［ＩＩ（Ｉｎｔｅｒｒｏｇａｔｏｒ  Ｉｄｅｎｔｉｆｉｅｒ）／ＳＩ（Ｓｕｒｖｅｉｌｌａｎｃｅ  Ｉｄｅｎｔｉｆｉｅｒ）］1を、事前にＷＡＭシステムに登録することにより、このインタロゲータ識別子（ＩＩ／ＳＩ）を用いて航空機から送出されるＡｌｌ  Ｃａｌｌ応答を解読し、そこからモードＳアドレスの蓄積数を増やし、継続追尾する航空機の検出数を向上させることができる。
【００２３】
本発明では、ＷＡＭシステムと覆域が重複するレーダサイトのインタロゲータ識別子（ＩＩ／ＳＩ）を予め登録しておくことで、このインタロゲータ識別子（ＩＩ／ＳＩ）を用いてＡｌｌ  Ｃａｌｌ応答からモードＳアドレスを抽出することが可能となり、モードＳアドレスを蓄積することが可能となる。
【００２４】
つまり、送信機能を持たないＷＡＭシステムでは、自サイトＩＤ［インタロゲータ識別子（ＩＩ／ＳＩ）］を持っていないので、航空機が、ＷＡＭシステムと覆域の重複しているレーダサイトに対して送信したＡｌｌ  Ｃａｌｌ応答よりモードＳアドレスを抽出することができない。
【００２５】
そこで、本発明では、事前にＷＡＭシステムへ、ＷＡＭシステムの覆域と重複する覆域を持つレーダサイトの自サイトＩＤ［インタロゲータ識別子（ＩＩ／ＳＩ）］を予め登録管理しておくことで、Ａｌｌ  Ｃａｌｌ応答からモードＳアドレスの抽出が可能となる。
【００２６】
図１は本発明の実施の形態による処理装置の構成を示すブロック図である。本発明の実施の形態によるＷＡＭシステムは、航空機から送信される信号（応答信号）を受信解読する複数（４台以上）の受信局と、図１に示す構成を持ちかつ受信局から送信された解読信号により航空機の位置を算出する処理装置とから構成されている。
【００２７】
図１において、本発明の実施の形態による処理装置は、ＩＩ／ＳＩ管理部（ＩＩ／ＳＩ  ＣＮＴＲＬ）２と、モードＳアドレス抽出部（Ａｌｌ  Ｃａｌｌ  Ｅｒｒｏｒ  Ｃｏｒｒｅｃｔｉｏｎ）５と、ＰＩ（Ｐａｒｉｔｙ  Ｉｎｔｅｒｒｏｇａｔｏｒ）判別部（ＰＩ  ＪＵＤＧＥ）６と、ＩＩ／ＳＩ比較部（ＩＩ／ＳＩ  ＣＯＭＰ）７と、アドレステーブル管理部（ＷＲｎ  ＣＮＴＲＬ）ａ８と、アドレステーブル管理部（ＷＲｎ  ＣＮＴＲＬ）ｂ９と、モードＳアドレステーブルａ１０と、モードＳアドレス蓄積部（Ｍｏｄｅ−Ｓ  ＡＤＲＳ  ＲＥＧ）ａ１１と、モードＳアドレステーブルｂ１２と、モードＳアドレス蓄積部（Ｍｏｄｅ−Ｓ  ＡＤＲＳ  ＲＥＧ）ｂ１３と、モードＳアドレス管理部（Ｔｉｍｅｒ  Ｒｅｓｅｔ  ＣＮＴＲＬ）ａ１４と、モードＳアドレス管理部（Ｔｉｍｅｒ  Ｒｅｓｅｔ  ＣＮＴＲＬ）ｂ１５と、アドレス管理部（ＲＥＧ  ＣＯＮＴ）１６と、モードＳアドレス抽出部（Ｒｏｌｌ  Ｃａｌｌ  Ｃｏｒｒｅｃｔｉｏｎ）１８と、モードＳアドレス比較部（ＡＤＲ  ＣＯＭＰ  ＣＮＴＲＬ）１９とから構成されている。
【００２８】
ＩＩ／ＳＩ管理部２は、ＷＡＭシステムの覆域に重複する覆域を持つレーダサイト（図示せず）のインタロゲータ識別子（ＩＩ／ＳＩ）１を管理する。モードＳアドレス抽出部５は、図示せぬ航空機から送出されるＡｌｌ  Ｃａｌｌ応答３、捕捉スキッタ及び拡張スキッタ４に含まれるモードＳアドレスを抽出する。
【００２９】
ＰＩ判別部６は、入力された信号がＡｌｌ  Ｃａｌｌ応答３、捕捉スキッタまたは拡張スキッタ 4のいずれかであることを判別する。ＩＩ／ＳＩ比較部７は、Ａｌｌ  Ｃａｌｌ応答３内のインタロゲータ識別子（ＩＩ／ＳＩ）とＩＩ／ＳＩ管理部２で管理されているインタロゲータ識別子（ＩＩ／ＳＩ）１とを比較する。
【００３０】
アドレステーブル管理部ａ８は、Ａｌｌ  Ｃａｌｌ応答３のモードＳアドレステーブルａ１０を管理する。モードＳアドレス蓄積部ａ１１は、Ａｌｌ  Ｃａｌｌ応答３のモードＳアドレスを蓄積する。モードＳアドレス管理部ａ１４は、モードＳアドレステーブルａ１０内で不要となったモードＳアドレスを削除する。
【００３１】
アドレステーブル管理部ｂ９は、捕捉スキッタ及び拡張スキッタ４のモードＳアドレステーブルｂ１２を管理する。モードＳアドレス蓄積部ｂ１３は、捕捉スキッタ及び拡張スキッタ４のモードＳアドレスを蓄積する。モードＳアドレス管理部ｂ１５は、モードＳアドレステーブルｂ１２内で不要となったモードＳアドレスを削除する。
【００３２】
アドレス管理部１６は、モードＳアドレステーブルａ１０に蓄積されているモードＳアドレスとモードＳアドレステーブルｂ１２に蓄積されているデータを比較し、同一アドレスがあった場合にモードＳアドレステーブルａ１０からそのアドレスを削除する。
【００３３】
モードＳアドレス抽出部１８は、航空機から送出される個別識別応答（以降、Ｒｏｌｌ  Ｃａｌｌ応答とする）１７からモードＳアドレスを抽出する。ここで、Ｒｏｌｌ  Ｃａｌｌ応答１７とは、ＳＳＲのレーダサイトが、航空機を初期捕捉した後に、ここの航空機に対して送信する個別質問に対する応答信号である。
【００３４】
モードＳアドレス比較部１９は、Ｒｏｌｌ  Ｃａｌｌ応答１７から抽出されたモードＳアドレスと、モードＳアドレステーブルａ１０及びモードＳアドレステーブルｂ１２内にある全てのモードＳアドレスとの比較を行う。
【００３５】
図２は図１に示す処理装置の処理動作を示すフローチャートである。これら図１及び図２を参照して本実施の形態によるＷＡＭシステムにおけるＡｌｌ  Ｃａｌｌ応答３から抽出されたモードＳアドレスの蓄積方法について説明する。尚、図２に示す処理動作は、本実施の形態による処理装置のＣＰＵ（中央処理装置）（図示せず）がプログラムを実行することでも実現可能である。
【００３６】
本実施の形態による処理装置では、ＷＡＭシステムの覆域に重複する覆域を持つレーダサイトのインタロゲータ識別子（ＩＩ／ＳＩ）１をＩＩ／ＳＩ管理部２で管理する（図２ステップＳ１）。
【００３７】
モードＳアドレス抽出部５は、Ａｌｌ  Ｃａｌｌ応答３、捕捉スキッタ及び拡張スキッタ４に含まれるモードＳアドレスを抽出する（図２ステップＳ２）。
【００３８】
ＰＩ判別部６は、モードＳアドレスの抽出に使用したモードＳデータのＰＩフィールド（Ｐａｒｉｔｙ  Ｉｎｔｅｒｒｏｇａｔｏｒ  ｉｄｅｎｔｉｆｉｅｒ、ＩＣＡＯ  Ａｎｎｅｘ１０  Ａｅｒｏｎａｕｔｉｃａｌ  Ｔｅｌｅｃｏｍｍｕｎｉｃａｔｉｏｎｓ  ｖｏlＩＶを参照）の値を監視する。ＰＩ判別部６は、モードＳデータがＡｌｌ  Ｃａｌｌ応答（ＰＩ≠０）であるか、または捕捉スキッタ、拡張スキッタ（ＰＩ＝０）であるかを判別する（図２ステップＳ３）。
【００３９】
ＩＩ／ＳＩ比較部７は、Ａｌｌ  Ｃａｌｌ応答と判断されたモードＳデータのＰＩフィールドに含まれるインタロゲータ識別子（ＩＩ／ＳＩ）と、ＩＩ／ＳＩ管理部２で管理されているインタロゲータ識別子（ＩＩ／ＳＩ）1とを比較する（図２ステップＳ４）。
【００４０】
ＩＩ／ＳＩ比較部７で比較した結果、インタロゲータ識別子（ＩＩ／ＳＩ）が一致した場合（図２ステップＳ５）は、そのモードＳデータからモードＳアドレス抽出部５にて抽出されたモードＳアドレスを真値としてアドレステーブル管理部ａ８により、モードＳアドレステーブルａ１０のモードＳアドレス蓄積部ａ１１に蓄積される（図２ステップＳ６）。
【００４１】
また、ＩＩ／ＳＩ比較部７で比較した結果、インタロゲータ識別子（ＩＩ／ＳＩ）が合致しない場合（図２ステップＳ５）は、モードＳアドレス抽出部５にて抽出されたモードＳアドレスを偽値として破棄する（図２ステップＳ７）。
【００４２】
ＰＩ判別部６で捕捉スキッタ、拡張スキッタ４と判断されたモードＳデータのモードＳアドレスは、アドレステーブル管理部ｂ９によりモードＳアドレステーブルｂ１２のモードＳアドレス蓄積部ｂ１３に蓄積される（図２ステップＳ８）。
【００４３】
アドレス管理部１６は、Ａｌｌ  Ｃａｌｌ応答３のモードＳアドレステーブルａ１０に蓄積されているモードＳアドレスを、モードＳアドレステーブルｂ１２に蓄積されているモードＳアドレスと重複しているものはないかを常時監視する。
【００４４】
アドレス管理部１６は、モードＳアドレステーブルａ１０及びモードＳアドレステーブルｂ１２に同一のモードＳアドレスが蓄積されている場合、モードＳアドレステーブルａ１０よりそのモードＳアドレスを削除する（図２ステップＳ９）。
【００４５】
モードＳアドレステーブルｂ１２に蓄積されず、モードＳアドレステーブルａ１０から削除されないモードＳアドレスは、モードＳアドレス管理部ａ１４によって、システム覆域内を航空機が通過する時間（パラメータ設定値）(以降、「削除時間パラメータａ」とする）を最大とし、モードＳアドレステーブルａ１０から順次、自動削除される（図２ステップＳ１０）。
【００４６】
モードＳアドレスが削除されたモードＳアドレス蓄積部ａ１１は、未使用のモードＳアドレス蓄積部ａ１１としてアドレステーブル管理部ａ８によって管理される。
【００４７】
モードＳアドレステーブルｂ１２に蓄積されたモードＳアドレスは、モードＳアドレス管理部ｂ１５によって管理され、捕捉スキッタの送信レート＋α（＝約１．３秒）（パラメータ設定値）（以降、「削除時間パラメータｂ」とする)後にモードＳアドレステーブルｂ１２から順次、自動削除される（図２ステップＳ１１）。
【００４８】
モードＳアドレスが削除されたモードＳアドレス蓄積部ｂ１３は、未使用のモードＳアドレス蓄積部ｂ１３としてアドレステーブル管理部ｂ９によって管理される。
【００４９】
Ａｌｌ  Ｃａｌｌ応答３、捕捉スキッタ及び拡張スキッタ４から抽出されたモードＳアドレスは、モードＳアドレステーブルａ１０及びモードＳアドレステーブルｂ１２に、同一のモードＳアドレスが存在しないように常時監視され、かつ、削除時間パラメータａ及び削除時間パラメータｂにより自動で削除される。
【００５０】
そのため、モードＳアドレステーブルａ１０及びモードＳアドレステーブルｂ１２には、常に必要最小限のモードＳアドレスが存在することになる。また、航空機が覆域外に出てしまい、信号が受信できない状況になった場合は、モードＳアドレステーブルａ１０及びモードＳアドレステーブルｂ１２から自動で削除されるため、処理対象ではなくなる。
【００５１】
本実施の形態による処理装置では、上記の処理を繰返すことにより、モードＳアドレスの漏れや無駄を無くし、モードＳアドレステーブルａ１０及びモードＳアドレステーブルｂ１２でモードＳアドレスが管理される。
【００５２】
一方、モードＳアドレス抽出部１８は、航空機から送出されるＲｏｌｌ  Ｃａｌｌ応答１７を解読（デコード）してモードＳアドレス（＋データ）を抽出し、モードＳアドレス比較部１９を介してモードＳアドレステーブルａ１０及びモードＳアドレステーブルｂ１２内のモードＳアドレスと比較し、その比較結果に応じてその後の処理を行う。
【００５３】
この際、モードＳアドレステーブルａ１０及びモードＳアドレステーブルｂ１２には、必要最小限のモードＳアドレスが存在するため、比較処理の回数を低減することができ、処理遅延等を回避することができる。
【００５４】
このように、本実施の形態では、ＷＡＭシステムの覆域に重複しているレーダサイトのインタロゲータ識別子（ＩＩ／ＳＩ）１を予め登録しておくことで、そのインタロゲータ識別子（ＩＩ／ＳＩ）１を用いてＡｌｌ  Ｃａｌｌ応答３を解読することができ、その信号に含まれているモードＳアドレスを抽出し、蓄積することできる。また、本実施の形態では、航空機の初期捕捉が早くなり、継続補足する航空機の検出数も向上させることができる。
【００５５】
さらに、本実施の形態では、モードＳアドレステーブルａ１０及びモードＳアドレステーブルｂ１２内に登録されている古いモードＳアドレスを、モードＳアドレス管理部ａ１４及びモードＳアドレス管理部ｂ１５の管理により、削除時間パラメータａ及び削除時間パラメータｂにて自動削除しているため、航空機から送出されるＲｏｌｌ  Ｃａｌｌ応答１７受信時のモードＳアドレス比較部１９を介したモードＳアドレステーブルａ１０及びモードＳアドレステーブルｂ１２内のモードＳアドレス比較を効率的に処理することができる。
【産業上の利用可能性】
【００５６】
本発明は、パッシブ受信システムにおけるモードＳアドレスの蓄積方式であり、ＨＭＵ（Ｈｅｉｇｈｔ  Ｍｏｎｉｔｏｒｉｎｇ  Ｕｎｉｔ）、ＡＤＳ−B（Ａｕｔｏｍａｔｉｃ  Ｄｅｐｅｎｄｅｎｔ  Ｓｕｒｖｅｉｌｌａｎｃｅ−Ｂｒｏａｄｃａｓｔ）システムの分野でも利用可能である。
【符号の説明】
【００５７】
１  インタロゲータ識別子（ＩＩ／ＳＩ）
２  ＩＩ／ＳＩ管理部（ＩＩ／ＳＩ  ＣＮＴＲＬ）
３  Ａｌｌ  Ｃａｌｌ応答
４  捕捉スキッタ、拡張スキッタ
５  モードＳアドレス抽出部（Ａｌｌ  Ｃａｌｌ  Ｅｒｒｏｒ  Ｃｏｒｒｅｃｔｉｏｎ）
６  ＰＩ判別部（ＰＩ  ＪＵＤＧＥ）
７  ＩＩ／ＳＩ比較部（ＩＩ／ＳＩ  ＣＯＭＰ）
８  アドレステーブル管理部（ＷＲｎ  ＣＮＴＲＬ）ａ
９  アドレステーブル管理部（ＷＲｎ  ＣＮＴＲＬ）ｂ
１０  モードＳアドレステーブルａ
１１  モードＳアドレス蓄積部（Ｍｏｄｅ−Ｓ  ＡＤＲＳ  ＲＥＧ）ａ
１２  モードＳアドレステーブルｂ
１３  モードＳアドレス蓄積部（Ｍｏｄｅ−Ｓ  ＡＤＲＳ  ＲＥＧ）ｂ
１４  モードＳアドレス管理部（Ｔｉｍｅｒ  Ｒｅｓｅｔ  ＣＮＴＲＬ）ａ
１５  モードＳアドレス管理部（Ｔｉｍｅｒ  Ｒｅｓｅｔ  ＣＮＴＲＬ）ｂ
１６  アドレス管理部（ＲＥＧ  ＣＯＮＴ）
１７  Ｒｏｌｌ  Ｃａｌｌ応答
１８  モードＳアドレス抽出部（Ｒｏｌｌ  Ｃａｌｌ  Ｃｏｒｒｅｃｔｉｏｎ）
１９  モードＳアドレス比較部（ＡＤＲ  ＣＯＭＰ  ＣＮＴＲＬ）
【図１】
0005974510.tif 000002
【図２】
0005974510.tif 000003